(57)【要約】【課題】筐体内の任意の位置にリールユニットを搭載可能な遊技機を提供する。【解決手段】遊技機は、外周面に複数種類の図柄が配列されている複数のリール及び複数のリールを回転させる複数のアクチュエータを有するリールユニットと、複数のアクチュエータを制御する制御部を有する基板と、６面体のうち１面が開口する筐体と、開口された面に隣接する各壁部に配設される補強フレーム１２と、を備える。補強フレーム１２は、ベース面１２１及び平行面１２２と、ベース面１２１及び平行面１２２を一体的に繋ぐ第１ブリッジ部１２３及び第２ブリッジ部１２４と、を有する。【選択図】図５
2016214645.tif 000002
【特許請求の範囲】
【請求項１】
外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、を備え、
前記補強部材は、複数の板状部材と前記複数の板状部材を一体的に繋ぐ複数の架橋部と、を有する、
ことを特徴とする遊技機。
【請求項２】
外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、
前記筐体に着脱自在に配設され、前記リールユニット及び前記基板が搭載されるフレーム部と、を備え、
前記フレーム部は、前記リールユニットを第１位置に搭載可能な第１搭載部と、前記リールユニットを第１位置とは異なる第２位置に搭載可能な第２搭載部と、を少なくとも有する、
ことを特徴とする遊技機。
【請求項３】
前記補強部材は、複数の板状部材と前記複数の板状部材を一体的に繋ぐ複数の架橋部と、を有し、前記フレーム部が複数個所で固定される、
ことを特徴とする請求項２に記載の遊技機。
【請求項４】
前記基板は、前記第１搭載部に前記リールユニットを搭載した場合、前記第２位置を利用して搭載され、前記第２搭載部に前記リールユニットを搭載した場合、前記第１位置を利用して搭載される、
ことを特徴とする請求項２又は請求項３に記載の遊技機。
【請求項５】
外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、
前記筐体に着脱自在に配設され、前記リールユニット及び前記基板が搭載されるフレーム部と、を備え、
前記筐体は、前記フレーム部を第１着脱位置に着脱可能な第１着脱部と、前記フレーム部を第１着脱位置とは異なる第２着脱位置に着脱可能な第２着脱部と、を少なくとも有する、
ことを特徴とする遊技機。
【発明の詳細な説明】
【技術分野】
【０００１】
本発明は、遊技機に関する。
【背景技術】
【０００２】
従来、外周面に図柄が配列されたリールを複数有するリールユニットを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。また、この種の遊技機は、筐体内にリールユニットや各リールの動作を制御する制御部を有する制御基板を収容している。
【０００３】
上述した遊技機においては、製造コストや重量を低減させるために、筐体が樹脂材料から成形されている。また、筐体を樹脂材料から成形した際に十分な強度を確保するために、筐体の開口する面に隣接する各壁部に補強部材を取り付けることで強度を高める技術が開示されている（例えば、特許文献１参照）。
【先行技術文献】
【特許文献】
【０００４】
【特許文献１】特開２００８−６８１３４号公報
【発明の概要】
【発明が解決しようとする課題】
【０００５】
しかしながら、特許文献１に記載の遊技機においては、６面体のうち遊技者と対面する側が開口された筐体の、開口された面と対向する面を除く４つの壁部に補強部材を取り付けているが、補強部材だけでは強度が不足するため、筐体の略中央部に筐体の右側面と左側面とを繋いで補強するセンタベースを設けることで、筐体の強度を高める構成となっている。このため、例えば遊技機を構成する部材のうち比較的大きいリールユニットは、センタベースとの干渉を考慮する必要があるため、筐体内において搭載可能となる位置が制約されてしまう構成となっていた。
【０００６】
そこで、本発明は、リールユニットの配置位置の自由度を向上することが可能な遊技機を提供することを目的としている。
【課題を解決するための手段】
【０００７】
（１）本発明は、外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、を備え、
前記補強部材は、複数の板状部材と前記複数の板状部材を一体的に繋ぐ複数の架橋部と、を有する、ことを特徴とする。
【０００８】
本発明では、筐体の開口された面に隣接する各壁部に配設された補強部材が、積層される複数の板状部材と、複数の板状部材を一体的に繋ぐ複数の架橋部材と、を有している。このため、本発明の遊技機は、補強部材が強固な断面形状を有することで、補強部材によって十分に筐体の強度を確保することができ、例えばセンタベースのような部材を筐体の内部に配設する必要がなくなるため、リールユニットの配置位置の自由度を向上することが可能となる。
【０００９】
（２）また、本発明は、外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、
前記筐体に着脱自在に配設され、前記リールユニット及び前記基板が搭載されるフレーム部と、を備え、
前記フレーム部は、前記リールユニットを第１位置に搭載可能な第１搭載部と、前記リールユニットを第１位置とは異なる第２位置に搭載可能な第２搭載部と、を少なくとも有する、ことを特徴とする。
【００１０】
本発明では、筐体に着脱自在に配設されたフレーム部が、リールユニットを第１位置に搭載可能な第１搭載部と、リールユニットを第１位置とは異なる第２位置に搭載可能な第２搭載部と、を有している。このため、本発明の遊技機は、筐体に着脱自在に配設されたフレーム部においてリールユニットを搭載する位置を選択可能に構成することで、リールユニットの配置位置の自由度を向上することが可能となる。
【００１１】
また、リールユニットと制御部を有する基板とがフレーム部に搭載されているため、本発明の遊技機は、フレーム部を交換することでリールユニットと基板とを交換可能となり、筐体を変更することなくリールユニットの位置や制御部が実行する遊技の内容が異なる遊技機に変更することができる。
【００１２】
（３）また、本発明において、前記補強部材は、複数の板状部材と前記複数の板状部材を一体的に繋ぐ複数の架橋部と、を有し、前記フレーム部が複数個所で固定される、ことを特徴とする。
【００１３】
この構成により、本発明の遊技機は、補強部材が強固な断面形状を有することで、補強部材によって十分に筐体の強度を確保することができ、例えばセンタベースのような部材を筐体の内部に配設する必要がなくなるため、筐体内にフレーム部を配設する際のフレーム部の位置に制約が緩くなり、フレーム部の配置位置の自由度を向上可能となることで、ひいてはフレーム部に搭載されるリールユニットの配置位置も自由度を向上させることが可能となる。
【００１４】
（４）また、本発明において、前記基板は、前記第１搭載部に前記リールユニットを搭載した場合、前記第２位置を利用して搭載され、前記第２搭載部に前記リールユニットを搭載した場合、前記第１位置を利用して搭載される、ことを特徴とする。
【００１５】
この構成により、本発明の遊技機は、フレーム部内においてリールユニットが搭載されない第１位置又は第２位置に基板を搭載することができ、フレーム部内に基板を搭載するためのスペースを別途設ける必要が無くなり、フレーム部を小型化することができる。
【００１６】
（５）また、本発明は、外周面に複数種類の図柄が配列されている複数のリール及び前記複数のリールを回転させる複数のアクチュエータを有するリールユニットと、
前記複数のアクチュエータを制御する制御部を有する基板と、
６面体のうち１面が開口する筐体と、
前記開口された面に隣接する各壁部に配設される補強部材と、
前記筐体に着脱自在に配設され、前記リールユニット及び前記基板が搭載されるフレーム部と、を備え、
前記筐体は、前記フレーム部を第１着脱位置に着脱可能な第１着脱部と、前記フレーム部を第１着脱位置とは異なる第２着脱位置に着脱可能な第２着脱部と、を少なくとも有する、ことを特徴とする。
【００１７】
本発明では、第１着脱部と第２着脱部とを有することで、リールユニット及び基板が搭載されるフレーム部を第１着脱位置と第２着脱位置とに着脱可能な筐体を有している。このため、本発明の遊技機は、筐体内におけるフレーム部の配置位置の自由度を向上することが可能となり、ひいてはリールユニットの配置位置の自由度を向上することが可能となる。
【発明の効果】
【００１８】
本発明によれば、リールユニットの配置位置の自由度を向上することができる。
【図面の簡単な説明】
【００１９】
【図１】本発明の実施形態における遊技機の外観構成を示す斜視図である。
【図２】本発明の実施形態における遊技機の筐体とフレーム部とを示す斜視図である。
【図３】本発明の実施形態における遊技機の筐体を示す斜視図である。
【図４】（Ａ）は、本発明の実施形態における遊技機の左フレームを示す斜視図、（Ｂ）は、図４（Ａ）に示す領域Ａの拡大図である。
【図５】図４（Ａ）に示すＢ−Ｂ矢視断面図である。
【図６】本発明の実施形態における遊技機のフレーム部を示す斜視図である。
【図７】本発明の実施形態における遊技機のフレーム部とリールユニットとを示す斜視図である。
【図８】本発明の実施形態の遊技機において、リールユニットを搭載する位置を変更した変形例を示す斜視図である。
【図９】本発明の実施形態における遊技機の演出役物の変形例を示す斜視図である。
【図１０】（Ａ）は、本発明の実施形態における遊技機の演出役物の変形例において、発光部が被覆された状態を示す正面図、（Ｂ）は、発光部が視認可能な状態を示す正面図である。
【図１１】本発明の実施形態における遊技機の演出役物の変形例において、駆動部の構成の一例を示す側面図である。
【発明を実施するための形態】
【００２０】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００２１】
１．構成
図１は、本発明の実施形態に係るスロットマシン１の外観構成を示す斜視図である。本実施形態のスロットマシン１は、いわゆる回胴式遊技機と呼ばれるもので、メダルを遊技媒体として用いた遊技を行う種類の遊技機である。
【００２２】
本実施形態のスロットマシン１は、６面体構造のうち遊技者に対向する１面が開口した箱形の筐体１０内に複数のリールとしての第１リールＲ１〜第３リールＲ３からなるリールユニット３０が収められている。また、筐体１０内のリールユニット３０の下部には、メダルの払出装置としてのホッパーユニット（不図示）が収められている。また、本実施形態のスロットマシン１の筐体内には、ＣＰＵ、ＲＯＭ（情報記憶媒体の一例）、ＲＡＭ等を搭載し、スロットマシン１の動作を制御する制御基板３１（図２参照）も収められている。
【００２３】
図１に示す第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータＭ１〜第３ステッピングモータＭ３に軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。すなわち、本実施形態のスロットマシン１では、第１ステッピングモータＭ１〜第３ステッピングモータＭ３が制御基板３１から供給された駆動パルスに応じて第１リールＲ１〜第３リールＲ３を回転駆動し、制御基板３１から駆動パルスの供給が断たれると、第１ステッピングモータＭ１〜第３ステッピングモータＭ３の回転が停止することに伴って第１リールＲ１〜第３リールＲ３が停止する。
【００２４】
筐体１０の開口する面を被覆する前面上扉６１と前面下扉６２とは、個別に開閉可能に設けられている。前面上扉６１には、第１リールＲ１〜第３リールＲ３の回転状態及び停止状態を観察可能にする表示窓６３が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓６３を通じて観察できるようになっている。
【００２５】
また、本実施形態のスロットマシン１では、表示窓６３を通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインが有効化される。
【００２６】
そして、遊技結果は、表示窓６３内の有効ライン上に停止表示された図柄組合せによって判定され、有効ライン上の図柄組合せが予め定められた役に対応した図柄組合せである場合に、その役が入賞したものとしてホッパーユニットからメダルの払い出し等が行われる。
【００２７】
前面上扉６１には、遊技演出を行うための表示装置６４が設けられている。表示装置６４は、例えば液晶ディスプレイから構成され、遊技を補助したり、遊技を盛り上げたりするための各種の映像や画像が表示される。また、前面上扉６１の上部には、遊技演出を行うための演出役物６５が設けられている。演出役物６５は、例えば図１に示すような表示装置６４よりも小さい小型液晶ディスプレイや、遊技の状態に応じて稼働可能な役物から構成され、遊技を補助したり、遊技を盛り上げたりするための演出表現が実行される。
【００２８】
前面下扉６２には、各種の操作手段が設けられている。操作手段としては、クレジット（貯留）されたメダルを投入する操作を行うための投入操作手段として、規定投入数のメダルを投入するマックスベットを実行するマックスベットボタン６６、第１リールＲ１〜第３リールＲ３を回転させて遊技を開始する契機となる開始操作を遊技者に実行させるための遊技開始操作手段としてのスタートレバー６７、第１ステッピングモータＭ１〜第３ステッピングモータＭ３により回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタン６８も設けられている。
【００２９】
本実施形態のスロットマシン１では、遊技者がメダルをメダル投入口６９に投入するか、メダルが規定投入数以上にクレジットされている場合に、マックスベットボタン６６を押下する操作を行うことで、第１リールＲ１〜第３リールＲ３の回転制御を開始することが可能な準備状態にセットされる。そして、遊技者がスタートレバー６７を押下、つまり遊技者がスタートレバー６７に対して開始操作を実行すると、制御基板３１において第１リールＲ１〜第３リールＲ３をステッピングモータの駆動により回転開始させるとともに、乱数値を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００３０】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３それぞれに対応するストップスイッチがオフ動作を行い、制御基板３１へ出力するリール停止信号をオン状態からオフ状態に変化させる。
【００３１】
そして、制御基板３１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００３２】
また、制御基板３１は、第１リールＲ１〜第３リールＲ３を停止させた後に、有効ライン上に停止している図柄の組合せ、つまり入賞した図柄の組合せに応じて、各種処理を実行する。制御基板３１が実行する各種処理としては、例えば、入賞した図柄の組合せがメダルの払い出しを伴う小役の図柄組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄組合せである場合には、規定投入数のメダルを投入状態に設定するリプレイ処理等がある。
【００３３】
前面下扉６２には、各種の操作手段の他に、遊技情報表示部７０が設けられている。遊技情報表示部７０は、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計等の各種遊技情報が表示される。
【００３４】
また、前面下扉６２の下部には、メダル払出口７１とメダル受け皿７２とが設けられており、遊技の結果に応じた枚数のメダルがメダル払出口７１からメダル受け皿７２へ払い出されるようになっている。また、例えば、遊技機内にクレジットされたメダルが記憶されている状態で、精算ボタン６８が押下された場合、精算ボタン６８の押下に伴ってホッパーユニットからクレジット数（クレジットされたメダルの枚数）に相当する枚数のメダルを払い出す精算処理を実行し、メダル払出口７１からメダル受け皿７２へメダルを払い出す。
【００３５】
また、前面下扉６２の下部には、遊技演出を行うためのスピーカ７３ａ，７３ｂが設けられている。スピーカ７３ａ，７３ｂからは、遊技を補助したり、遊技を盛り上げたりするための各種の音声が出力される。
【００３６】
次に、本実施形態のスロットマシン１の筐体１０と、筐体１０に搭載されるリールユニット３０と、の詳細について、図２〜図８を用いて説明する。
【００３７】
図２、図３に示すように、本実施形態における筐体１０は、非透光性の樹脂により６面体のうち遊技者と対面する前面を除く左壁１１ａと、右壁１１ｂと、上壁１１ｃと、下壁１１ｄと、開口する面に対向する対向壁１１ｅと、の５面（以下、これら５面をまとめて「壁部１１」とも記載）が一体成形された直方体形状となっており、補強部材としての左フレーム１２ａ、右フレーム１２ｂ、上フレーム１２ｃ及び下フレーム１２ｄが、左壁１１ａ、右壁１１ｂ、上壁１１ｃ及び下壁１１ｄの開口された面に隣接する４面にそれぞれ配設されている。ここで、筐体１０は、ＡＢＳ、ポリカーボネート等の汎用性のある樹脂材料から成形されており、壁部１１の剛性を高めるために多数の補強リブ１１１が形成されている。なお、以下の記載において、左フレーム１２ａと、右フレーム１２ｂと、上フレーム１２ｃと、下フレーム１２ｄと、をまとめて補強フレーム１２とも記載する。
【００３８】
補強フレーム１２においては、隣接する補強フレーム同士がブラケット１６ａ〜１６ｄを介して接続されている。ブラケット１６ａ〜１６ｄを用いて隣接する補強フレーム同士を接続することで、スロットマシン１は、例えば左フレーム１２ａと上フレーム１２ｃとの間等、補強フレーム同士の間に生じる隙間をブラケット１６ａ〜１６ｄによって閉塞することができ、補強フレーム同士の間に生じる隙間から不正に侵入されることを防ぐことができる。
【００３９】
筐体１０には、前面上扉６１と前面下扉６２との境界位置となる上下方向略中央部にガイド部材２１ａ，２１ｂが配設されている。ガイド部材２１ａ，２１ｂは、対向壁１１ｅに不図示のネジによって取り付けられる取付け部２１１ａ，２１１ｂと、リールユニット３０が搭載されるフレーム部４０と当接するフレーム当接面２１２ａ，２１２ｂと、左壁１１ａ又は右壁１１ｂと当接する壁部当接面２１３ａ，２１３ｂと、前面上扉６１と前面下扉６２との間から不正に侵入されることを防ぐための不正侵入防止部２１４ａ，２１４ｂと、を有している。
【００４０】
また、筐体１０の対向壁１１ｅには、フレーム部４０に搭載されている制御基板３１に電気的に接続される接続端子２２ａ，２２ｂが配設されている。フレーム部４０は、筐体１０に配設される場合に、フレーム部４０に設けられている接続端子４２ａ，４２ｂが対向壁１１ｅに配設された接続端子１４ａ，１４ｂに挿入されるように構成されている。
【００４１】
筐体１０の左壁１１ａと右壁１１ｂとには、それぞれ筐体１０の内部に向けて凹むように突出した把手１５ａ，１５ｂが設けられている。把手１５ａ，１５ｂは、内側に突出した突出部１５１ａ，１５１ｂが、ガイド部材２１ａ，２１ｂのフレーム当接面２１２ａ，２１２ｂと当接している。このため、スロットマシン１は、フレーム部４０を配設した場合にガイド部材２１ａ，２１ｂを介して対向壁１１ｅにかかる垂直方向の荷重が、ガイド部材２１ａ，２１ｂから把手１５ａ，１５ｂを介して左壁１１ａ及び右壁１１ｂに分散される構成となっている。
【００４２】
フレーム部４０は、リールユニット３０と制御基板３１とを搭載可能に構成されており、左側面を形成する左枠４１ａと、右側面を形成する右枠４１ｂと、左枠４１ａと右枠４１ｂとを接続する上枠４１ｃと、着脱自在な下枠４１ｄと、上述した接続端子４２ａ，４２ｂが配設される底面部４１ｅと、を有しており、左枠４１ａと、右枠４１ｂと、上枠４１ｃと、底面部４１ｅと、が一体に形成されている。フレーム部４０は、リールユニット３０を複数個所に搭載可能に構成されており、図２においては、スロットマシン１の略中央部にリールユニット３０を搭載している。
【００４３】
フレーム部４０は、筐体１０に配設される場合に、左枠４１ａが筐体１０の左フレーム１２ａに締結され、右枠４１ｂが筐体１０の右フレーム１２ｂに締結され、左枠４１ａのうち底面部４１ｅの方向に突出した突出部４１１ａが筐体１０に配設されたガイド部材２１ａのフレーム当接面２１２ａに載置され、右枠４１ｂのうち底面部４１ｅの方向に突出した突出部４１１ｂが筐体１０に配設されたガイド部材２１ｂのフレーム当接面２１２ｂに載置される。そして、フレーム部４０は、接続端子４２ａ，４２ｂが筐体１０に配設された接続端子２２ａ，２２ｂに接続されることで、筐体１０に配設される。
【００４４】
２．補強フレームの構成
次に、補強フレーム１２の詳細について説明する。本実施形態の補強フレーム１２は、アルミ材料の押出成型により成形されている。そのため、左フレーム１２ａと、右フレーム１２ｂと、上フレーム１２ｃと、下フレーム１２ｄと、は、長手方向の長さや長辺及び短辺から形成される内角の角度、各面に形成された穴の形状及び大きさ等が異なるものの、断面形状は同一形状を有している。
【００４５】
具体的には、左フレーム１２ａは、筐体１０の開口する面に隣接する左壁１１ａの端面が傾斜を有していることに伴い、左壁１１ａと当接するベース面１２１ａが略平行四辺形状に形成されている。また、右フレーム１２ｂは、筐体１０の開口する面に隣接する右壁１１ｂの端面が傾斜を有していることに伴い、右壁１１ｂと当接するベース面１２１ｂが略平行四辺形状に形成され、長手方向の長さも左フレーム１２ａと略同一となっている。上フレーム１２ｃは、上壁１１ｃと当接するベース面１２１ｃが長方形状に形成され、長手方向の長さが他の補強フレームよりも短くなっている。また、下フレーム１２ｄは、下壁１１ｄと当接するベース面１２１ｄが長方形状に形成され、長手方向の長さが上フレーム１２ｃよりも長くなっている。
【００４６】
このため、補強フレーム１２の詳細について説明するために、まずは、図４、図５を参照して、左フレーム１２ａを例に補強フレーム１２のそれぞれに共通する構成から説明を行う。
【００４７】
図４（Ａ）、（Ｂ）、図５は、左フレーム１２ａを示す図である。図４（Ａ）は、左フレーム１２ａの外観を示す斜視図、図４（Ｂ）は、図４（Ａ）に示した領域Ａを示す拡大図である。また、図５は、図４（Ａ）に示したＢ−Ｂ矢視断面図である。
【００４８】
図４（Ａ）に示すように、左フレーム１２ａのベース面１２１ａには、左壁１１ａにネジ止め固定される場合にネジが挿入される穴１３４ａが形成されている。また、図４（Ａ）、図５に示すように、左フレーム１２ａは、板状のベース面１２１ａと、ベース面１２１ａと平行な平行面１２２ａと、を一体的に繋ぐ複数の架橋部としての第１ブリッジ部１２３ａ及び第２ブリッジ部１２４ａを有し、第１ブリッジ部１２３ａ及び第２ブリッジ部１２４ａによってベース面１２１ａと平行面１２２ａとの複数の板状部材が空間を有して積層された構造に形成されている。
【００４９】
第１ブリッジ部１２３ａ及び第２ブリッジ部１２４ａは、ベース面１２１ａから平行面１２２ａに向けて垂直方向に延出しており、垂直方向の第１端部１２５ａ及び第２端部１２６ａが平行面１２２ａから突出している。このため、左フレーム１２ａには、第１ブリッジ部１２３ａと、平行面１２２ａと、第２ブリッジ部１２４ａと、によって凹部１２７ａが形成されている。凹部１２７ａには、上述したブラケット１６ａ，１６ｃが挿入可能に構成されており、ブラケット１６ａ，１６ｃと左フレーム１２ａとの間に隙間が生じることを防止できる構成となっている。
【００５０】
第１ブリッジ部１２３ａは、左壁１１ａ側（図５中上側）の側面が左壁１１ａに当接する。また、第１ブリッジ部１２３ａには、左壁１１ａ方向に突出する突出部１２８ａが形成されている。突出部１２８ａは、第１ブリッジ部１２３ａに接続し左壁１１ａ方向に突出する接続部１２９ａと、接続部１２９ａの端部に形成され第１ブリッジ部１２３ａ方向に折れ曲がった形状を有する屈曲部１３０ａと、を有している。本実施形態において、突出部１２８ａは、左フレーム１２ａを左壁１１ａに配設した際に、左壁１１ａ内に収容される。このため、スロットマシン１は、左壁１１ａと左フレーム１２ａとの間からの不正な侵入を突出部１２８ａによって防ぐことができるように構成されている。
【００５１】
第２ブリッジ部１２４ａは、前面上扉６１及び前面下扉６２側（図５中下側）の側面が前面上扉６１及び前面下扉６２に当接する。また、第２ブリッジ部１２４ａには、前面上扉６１及び前面下扉６２方向に突出する突出部１３１ａが形成されている。突出部１３１ａは、第２ブリッジ部１２４ａに接続し前面上扉６１及び前面下扉６２方向に突出する接続部１３２ａと、接続部１３２ａの端部に形成され第２ブリッジ部１２４ａ方向に折れ曲がった形状を有する屈曲部１３３ａと、を有している。本実施形態において、突出部１３１ａは、左フレーム１２ａを左壁１１ａに配設した際に、屈曲部１３３ａと第２ブリッジ部１２４ａとベース面１２１ａとの間の空間に前面上扉６１及び前面下扉６２の一部が収容される。このため、スロットマシン１は、前面上扉６１と左フレーム１２ａとの間及び前面下扉６２と左フレーム１２ａとの間からの不正な侵入を突出部１３１ａ、第２ブリッジ部１２４ａ及びベース面１２１ａによって防ぐことができるように構成されている。
【００５２】
上述した通り、左フレーム１２ａは、アルミ合金を押出成型することで成形されている。このため、左フレーム１２ａは、突出部１２８ａ及び突出部１３１ａの屈曲部を有する構造や、ベース面１２１ａと平行面１２２ａとが積層された構造といった複雑な構造を一体に成形する際に、低い製造コストで実現することができる。
【００５３】
以上の左フレーム１２ａが有する各構成は、他の補強フレームも有する構成である。つまり、補強フレーム１２は、ベース面１２１と、平行面１２２と、第１ブリッジ部１２３と、第２ブリッジ部１２４と、からなる強固な断面形状を有している。このため、本実施形態のスロットマシン１は、補強フレーム１２を筐体１０に取り付けることで、十分に筐体１０の強度を確保することができ、筐体１０の内部にセンタベースのような筐体１０を補強するための部材を別途配設する必要がなくなる。このため、スロットマシン１は、筐体１０内にフレーム部４０を配設する際のフレーム部４０の位置の制約が緩くなるため、フレーム部４０の配置位置の自由度を向上させることが可能となる。フレーム部４０の配置位置の自由度が向上することで、スロットマシン１は、フレーム部４０に搭載されるリールユニット３０の配置位置の自由度も向上させることが可能となる。
【００５４】
次に、左フレーム１２ａと右フレーム１２ｂとが有する左フレーム１２ａと右フレーム１２ｂとに特有の構成を記載する。左フレーム１２ａのベース面１２１ａと平行面１２２ａとの間には、鉄製の板金部材１３５ａが配設されている。板金部材１３５ａは、左フレーム１２ａのうち、第１ブリッジ部１２３ａから第２ブリッジ部１２４ａ方向に突起した第１突起部１３６ａ及び第２ブリッジ部１２４ａから第１ブリッジ部１２３ａ方向に突起した第２突起部１３７ａと、ベース面１２１ａと、の間に配設されている。板金部材１３５ａは、左フレーム１２ａの上壁１１ｃ側から、板金部材１３５ａの端部を折り返すことで形成された返し部１３８ａが第１突起部１３６ａ及び第２突起部１３７ａに当接するまで挿入されており、返し部１３８ａが第１突起部１３６ａ及び第２突起部１３７ａに当接することで左フレーム１２ａに対して位置決めされている。
【００５５】
また、板金部材１３５ａは、平行面１２２ａに形成されブラケット１６ａを取り付ける際にネジが挿入される穴１３９ａ及びブラケット１６ｃを取り付ける際にネジが挿入される穴１４０ａや、ベース面１２１ａに形成されフレーム部４０を取り付ける際にネジが挿入される穴１４１ａ（図３参照）に対応する位置に、ネジ穴１４２ａが形成されている。つまり、スロットマシン１は、ブラケット１６ａ，１６ｃやフレーム部４０をネジ止めして左フレーム１２ａに取り付ける場合に、板金部材１３５ａにネジ止め固定するように構成されている。アルミ合金から形成された左フレーム１２ａにネジ溝を形成せずに鉄製の板金部材１３５ａにネジ溝を形成することで、スロットマシン１は、ブラケット１６ａ，１６ｃの着脱やフレーム部４０の着脱によって左フレーム１２ａがネジによって摩耗してしまうことを防ぐことができる。
【００５６】
左フレーム１２ａは、図４（Ｂ）に示すように、凹部１２７ａや屈曲部１３３ａといったスロットマシン１の外周を構成する個所に、左フレーム１２ａの長手方向に延びる多数の溝１４３ａが形成されている。外部に露出する凹部１２７ａ及び屈曲部１３３ａに溝１４３ａが形成されることにより、左フレーム１２ａは、左フレーム１２ａに傷が生じた場合にも傷が目立たなくなるように構成されている。
【００５７】
以上の左フレーム１２ａが有する板金部材１３５ａや板金部材１３５ａを収容する第１突起部１３６ａ及び第２突起部１３７ａ、平行面１２２ａに形成された溝１４３ａは、右フレーム１２ｂも有しているが、上フレーム１２ｃ及び下フレーム１２ｄは有していない構成となっている。
【００５８】
３．フレーム部の構成
次に、筐体１０に搭載されるフレーム部４０の詳細について説明する。上述したように、フレーム部４０は、リールユニット３０と制御基板３１とを搭載可能に構成され、リールユニット３０を複数個所に搭載可能に構成されている。
【００５９】
図６に示すように、フレーム部４０のうち下枠４１ｄは、左枠４１ａ、右枠４１ｂ及び底面部４１ｅにネジ４１２ｄによって締結されており、着脱自在に構成された下部フレームを構成している。下枠４１ｄは、左枠４１ａにネジ止め固定される左側壁４３ａと、右枠４１ｂにネジ止め固定される右側壁４３ｂと、左側壁４３ａと右側壁４３ｂとを接続し、底面部４１ｅにネジ止め固定される下面４３ｃと、を有している。下面４３ｃの底面部４１ｅに対向する端部には、リールユニット３０がネジ止め固定される第１固定部４４が形成されている。
【００６０】
また、フレーム部４０のうち底面部４１ｅは、接続端子４２ａ，４２ｂの近傍に第２固定部４５を有している。本実施形態においては、図７に示すように、フレーム部４０は、下枠４１ｄの第１固定部４４と、底面部４１ｅの第２固定部４５と、にリールユニット３０を固定することで下枠４１ｄと底面部４１ｅとによって形成される空間にリールユニット３０を搭載している。
【００６１】
フレーム部４０の底面部４１ｅは、接続端子４２ａ，４２ｂよりも上方の上側底面部４６のうち、右枠４１ｂと上枠４１ｃとを接続する第１接続部４６ａが、左枠４１ａと右枠４１ｂとを接続する第２接続部４６ｂよりも凹んだ形状を有している。制御基板３１は、図７に示すように、第１接続部４６ａの凹形状によって形成された空間に、基板接続部材３２を介してフレーム部４０に搭載可能に構成されている。
【００６２】
なお、フレーム部４０は、リールユニット３０を第１接続部４６ａの凹形状によって形成された空間に搭載可能に構成されている。図８は、リールユニット３０を第１接続部４６ａによって形成された空間に搭載した状態を示す図である。フレーム部４０は、第１接続部４６ａによって形成された空間にリールユニット３０を搭載する場合、上枠４１ｃに設けられた第３固定部４７と、第２接続部４６ｂに設けられた第４固定部４８と、にリールユニット３０を固定することで、第１接続部４６ａによって形成された空間にリールユニット３０を搭載可能に構成されている。また、第１接続部４６ａによって形成された空間にリールユニット３０を搭載した場合、制御基板３１は、下枠４１ｄと底面部４１ｅとによって形成される空間を利用してフレーム部４０に搭載可能に構成されている。
【００６３】
このように、リールユニット３０を搭載可能であり、リールユニット３０を第１接続部４６ａによって形成される空間に搭載した場合に制御基板３１が搭載される下枠４１ｄと底面部４１ｅとの間のリールユニット３０が搭載される位置が、本実施形態における第１位置を構成し、下枠４１ｄと底面部４１ｅとが、本実施形態における第１搭載部を構成する。また、リールユニット３０を搭載可能であり、リールユニット３０を下枠４１ｄと底面部４１ｅとの間に搭載した場合に制御基板３１が搭載される第１接続部４６ａの凹形状によって形成された空間におけるリールユニット３０が搭載される位置が、本実施形態における第２位置を構成し、第１接続部４６ａが、本実施形態における第２搭載部を構成する。
【００６４】
以上のように、本実施形態のスロットマシン１は、筐体１０に着脱自在に配設されたフレーム部４０が、リールユニット３０を第１位置に搭載可能な下枠４１ｄ及び底面部４１ｅと、リールユニット３０を第１位置とは異なる第２位置に搭載可能な第１接続部４６ａと、を有している。つまり、スロットマシン１は、筐体１０に着脱自在に配設されたフレーム部４０においてリールユニット３０を搭載する位置を選択可能に構成することで、リールユニット３０の配置位置の自由度を向上することが可能となる。
【００６５】
また、リールユニット３０と制御部を有する制御基板３１とがフレーム部４０に搭載されているため、スロットマシン１は、フレーム部４０を交換することでリールユニット３０と制御基板３１とを交換可能となり、筐体１０を変更することなくリールユニット３０の位置や制御部が実行する遊技の内容が異なるスロットマシンに変更することができる。
【００６６】
また、スロットマシン１は、フレーム部４０内においてリールユニット３０が搭載されない第１位置又は第２位置に制御基板３１を搭載することができ、フレーム部４０内に制御基板３１を搭載するためのスペースを別途設ける必要が無くなり、フレーム部４０を小型化することができる。
【００６７】
４．変形例
なお、本実施形態において、スロットマシン１は、図１、図７に示すように、フレーム部４０のうち第１搭載部である下枠４１ｄと底面部４１ｅとの間にリールユニット３０を搭載しているが、上述した図８に示すように、第２搭載部である第１接続部４６ａによって形成された空間にリールユニット３０を搭載してもよい。第２搭載部にリールユニット３０を搭載した場合、スロットマシン１は、リールユニット３０に隣接して演出役物６５が搭載される構成となることから、第１リールＲ１〜第３リールＲ３の挙動に演出役物６５による演出を関連付けることで、より遊技を盛り上げるための演出表現を実現可能となる。
【００６８】
具体的には、演出役物６５は、図９〜図１１に示すような構成が挙げられる。図９に示すように、演出役物６５は、円弧状に形成された円弧カバー３０１と、第１リールＲ１〜第３リールＲ３の挙動に応じて回動する回動部３０２と、第１リールＲ１〜第３リールＲ３の挙動に応じて発光する発光部３０３と、がベース部材３０４に配設されている。
【００６９】
円弧カバー３０１は、上部カバー３０１ａと下部カバー３０１ｂとに分割されており、上部カバー３０１ａと下部カバー３０１ｂとの間から回動部３０２を視認することができる構成になっている。
【００７０】
回動部３０２は、不透明な被覆部材３０２ａと透明な透明部材３０２ｂとを有している。また、回動部３０２は、アクチュエータＭ４（図１１参照）を有する駆動部３０２ｃによって、図９において被覆部材３０２ａが位置する個所に透明部材３０２ｂが位置するように被覆部材３０２ａと透明部材３０２ｂとを回動可能に構成されている。ここで、被覆部材３０２ａと透明部材３０２ｂとは、接続部３２１によって接続されており、駆動部３０２ｃによって回動される際に、被覆部材３０２ａと透明部材３０２ｂとが一体に回動することで、被覆部材３０２ａに対する透明部材３０２ｂの相対的な位置は常に維持される構成となっている。
【００７１】
発光部３０３は、ベース部材３０４に固定されており、演出を制御する不図示の副制御基板と配線が繋がれている。また、発光部３０３は、副制御基板からの制御信号により、例えば第１リールＲ１〜第３リールＲ３の回転開始時等、第１リールＲ１〜第３リールＲ３の挙動に合わせて発光可能に構成されている。
【００７２】
図１０（Ａ）、（Ｂ）は、演出役物６５による演出の一例を示す図である。図１０（Ａ）に示す状態において、演出役物６５は、上部カバー３０１ａと下部カバー３０１ｂとの間から被覆部材３０２ａが視認される状態となっている。そして、演出役物６５は、遊技を盛り上げるための演出表現を実行するために、回動部３０２の駆動部３０２ｃを駆動し、透明部材３０２ｂが上部カバー３０１ａと下部カバー３０１ｂとの間から視認される位置まで透明部材３０２ｂを回動させた図１０（Ｂ）に示す状態にする。この状態において、演出役物６５は、発光部３０３を発光させることで上部カバー３０１ａと下部カバー３０１ｂとの間から発光部３０３の光を演出役物６５から遊技者に向けて照射できる。この、回動部３０２による被覆部材３０２ａを回動し透明部材３０２ｂを上部カバー３０１ａと下部カバー３０１ｂとの間から視認できるようにする演出と、透明部材３０２ｂが視認可能となった状態で発光部３０３を発光させることで演出役物６５から遊技者に向けて発光部３０３の光を照射する演出と、を実行することで、スロットマシン１は、演出役物６５によってより遊技を盛り上げるための演出表現を実現可能となる。
【００７３】
また、演出役物６５は、回動部３０２が被覆部材３０２ａと透明部材３０２ｂとを回動させることで、上部カバー３０１ａと下部カバー３０１ｂとの間から、発光部３０３によって光を照射可能にする状態と、発光部３０３から光が照射不能な状態と、を発光部３０３を回動させることなく切り換えることができる。このため、スロットマシン１は、発光部３０３に接続される配線を演出役物６５内で動かすことなく、発光部３０３によって光を照射可能にする状態と、発光部３０３から光が照射不能な状態と、を切り換えることができ、配線に断線や接続不良といったトラブルが生じ演出役物６５に不具合が生じることを防ぐことができる。
【００７４】
なお、演出役物６５は、図１１に示すように、駆動部３０２ｃ内に複数のギヤとリンク機構とを配設することで、被覆部材３０２ａと透明部材３０２ｂとを回動する際に、下部カバー３０１ｂも回動させて、上部カバー３０１ａと下部カバー３０１ｂとの間が広がるような構成を有していてもよい。
【００７５】
図１１に示すように、駆動部３０２ｃは、アクチュエータＭ４に配設された駆動ギヤＧ１と、駆動ギヤＧ１と噛合する第１従動ギヤＧ２と、第１従動ギヤＧ２と噛合する第２従動ギヤＧ３と、を有している。また、駆動部３０２ｃは、第２従動ギヤＧ３と一体に回転する突起部３１１が、第１リンク部材Ｌ１に形成された溝部３１２内において、溝部３１２の内周面に当接しながら移動することで第１リンク部材Ｌ１を駆動する。
【００７６】
第１リンク部材Ｌ１には、第２リンク部材Ｌ２に形成された溝部３１３に当接する突起部３１４が形成されており、突起部３１４が溝部３１３の内周面に当接しながら移動することで第１リンク部材Ｌ１の移動に合わせて第２リンク部材Ｌ２を移動させる。また、第１リンク部材Ｌ１は、アクチュエータＭ４や第１従動ギヤＧ２、第２従動ギヤＧ３が配設されている駆動部３０２ｃの本体３０２ｄに形成された溝部３０２ｅにおいて、下部カバー３０１ｂがネジ３１５を介して接続されている。ここで、下部カバー３０１ｂは、従動ローラ３２０を介して溝部３０２ｅに当接するように構成されている。従動ローラ３２０を介して溝部３０２ｅに当接することで、下部カバー３０１ｂは、回動時に溝部３０２ｅと下部カバー３０１ｂとの間で生じる摩擦抵抗を低減でき、第１リンク部材Ｌ１と一体に回動する際に、スムーズに回動することができる。
【００７７】
第２リンク部材Ｌ２は、本体３０２ｄに支持軸３１８が軸支されており、一方側の端部近傍に溝部３１３が形成され、他方側の端部近傍に透明部材３０２ｂに形成された突起部３１６が当接する溝部３１７が形成され、突起部３１６を溝部３１７の内周面に当接させながら第１リンク部材Ｌ１の移動に伴い移動することで、回動部３０２を回動させる。
【００７８】
このように構成された駆動部３０２ｃにおいて、被覆部材３０２ａと透明部材３０２ｂとを回動する際に、上部カバー３０１ａと下部カバー３０１ｂとの間を広げる場合、駆動部３０２ｃは、アクチュエータＭ４を矢印Ｃ方向に回転駆動させる。駆動ギヤＧ１が矢印Ｃ方向に回転することで、駆動ギヤＧ１と噛合する第１従動ギヤＧ２は、矢印Ｄ方向に回転し、第１従動ギヤＧ２と噛合する第２従動ギヤＧ３は、矢印Ｅ方向に回転する。
【００７９】
溝部３１２に第２従動ギヤＧ３に形成された突起部３１１が当接している第１リンク部材Ｌ１は、第２従動ギヤＧ３が矢印Ｅ方向に回転することに伴い突起部３１１が矢印Ｅ方向に回転するため、従動ローラ３２０が溝部３０２ｅを摺動するように矢印Ｆ方向に移動することで、第１リンク部材Ｌ１に接続された下部カバー３０１ｂも矢印Ｆ方向に移動させる。溝部３１３に第１リンク部材Ｌ１に形成された突起部３１４が当接している第２リンク部材Ｌ２は、第１リンク部材Ｌ１が矢印Ｆ方向に移動することに伴い突起部３１４が矢印Ｆ方向に移動するため、支持軸３１８を中心に矢印Ｈ方向に回動するとともに、第２リンク部材Ｌ２の溝部３１７に突起部３１６が当接している透明部材３０２ｂを矢印Ｈ方向に回動させる。
【００８０】
つまり、駆動部３０２ｃは、１つのアクチュエータＭ４によって下部カバー３０１ｂと透明部材３０２ｂ及び透明部材３０２ｂに接続部３２１によって接続される被覆部材３０２ａとを回動可能に構成されており、複数の部材を回動させるためにそれぞれアクチュエータを設ける必要が無くなり、コストダウンすることができる。また、１つのアクチュエータによって複数の部材を回動可能であることから、スロットマシン１は、複数の部材の動作を同期させるための制御設計が不要となり、演出に係るプログラムを簡易化することができる。
【００８１】
また、本実施形態において、補強フレーム１２は、ベース面と平行面との２枚が積層された構造を有しているが、これに限らず、ベース面を含む２枚以上の面が積層された構造を有していればよく、例えばベース面と２枚の平行面との３枚が積層された構造を有していてもよい。
【００８２】
また、本実施形態において、フレーム部４０は、第１位置にリールユニット３０を搭載可能な下枠４１ｄ及び底面部４１ｅからなる第１搭載部と、第２位置にリールユニット３０を搭載可能な第１接続部４６ａからなる第２搭載部と、を有しているが、これに限らず、例えば第１位置及び第２位置とは異なる第３位置にリールユニット３０を搭載可能に構成されていてもよい。
【００８３】
また、本実施形態において、筐体１０は、把手１５ａ，１５ｂ近傍に設けられたガイド部材２１ａ，２１ｂにフレーム部４０を当接させてフレーム部４０を搭載するように構成されているが、これに限らず、ガイド部材２１ａ，２１ｂを配設可能な位置を複数設けるとともに、ガイド部材２１ａ，２１ｂを配設可能ないずれの位置にもガイド部材２１ａ，２１ｂを配設することで、フレーム部４０を第１着脱位置と、第１着脱位置とは異なる第２着脱位置と、に着脱可能に構成してもよい。フレーム部４０を第１着脱位置と第２着脱位置とのいずれかに着脱可能に筐体１０を構成した場合、第１着脱位置にフレーム部４０を搭載する場合に筐体１０に配設されるガイド部材２１ａ，２１ｂが、第１着脱部を構成する。また、第２着脱位置にフレーム部４０を搭載する場合に筐体１０に配設されるガイド部材２１ａ，２１ｂが、第２着脱部を構成する。
【００８４】
このように構成した場合、スロットマシン１は、リールユニット３０及び制御基板３１が搭載されるフレーム部４０を第１着脱位置と第２着脱位置とに着脱可能となることで、筐体１０内におけるフレーム部４０の配置位置の自由度を向上することが可能となり、ひいてはリールユニット３０の配置位置の自由度を向上することが可能となる。
【００８５】
なお、このように構成する場合、フレーム部４０は、第１着脱位置及び第２着脱位置のいずれの位置においても筐体１０内に搭載可能な形状である必要がある。また、筐体１０は、第１着脱位置及び第２着脱位置とは異なる第３着脱位置にフレーム部４０を着脱可能に構成されていてもよい。
【符号の説明】
【００８６】
１０…筐体：１１ａ…左壁（壁部）：１１ｂ…右壁（壁部）：１１ｃ…上壁（壁部）：１１ｄ…下壁（壁部）：１２…補強フレーム（補強部材）：２１ａ，２１ｂ…ガイド部材（第１着脱部、第２着脱部）：３０…リールユニット：３１…制御基板（基板）：４０…フレーム部：４１ｄ…下枠（第１搭載部）：４１ｅ…底面部（第１搭載部）：４６ａ…第１接続部（第２搭載部）：１２１…ベース面（板状部材）：１２２…平行面（板状部材）：１２３…第１ブリッジ部（架橋部）：１２４…第２ブリッジ部（架橋部）：Ｍ１…第１アクチュエータ：Ｍ２…第２アクチュエータ：Ｍ３…第３アクチュエータ：Ｒ１…第１リール：Ｒ２…第２リール：Ｒ３…第３リール
【図１】
2016214645.tif 000003
【図２】
2016214645.tif 000004
【図３】
2016214645.tif 000005
【図４】
2016214645.tif 000006
【図５】
2016214645.tif 000007
【図６】
2016214645.tif 000008
【図７】
2016214645.tif 000009
【図８】
2016214645.tif 000010
【図９】
2016214645.tif 000011
【図１０】
2016214645.tif 000012
【図１１】
2016214645.tif 000013